(57)【要約】      （修正有）【課題】人が手で運ぶ灯油容器の蓋において、ポンプによる液体注出後の残留液体を注出ノズルを使わずに容器を傾斜させて注出口から液体を注出させる際に、安定的な液体注出を実現できる密閉性と強度を有する小注出口のついた蓋を提供する。【解決手段】容器の蓋は、容器の注出口に装着する蓋の上部にガスケット内蔵の小蓋による密閉可能な小注出口を多段状に設ける構造と小注出口の周囲に保護壁を設ける構造とすることで小蓋の密閉度と強度を保ち、蓋内部の緩衝フィルタの構造、平滑流路および小注出口の形状により注出液体４０４の力を緩和させ、量および速度を制限させ、さらに注出液体４０４の幅を制限させる。これらの効果により注出液体４０４の静流化と定流化を実現させ、注出用ノズルを使わなくても移し替えの際の突発的で不安定な注出を防ぎ、受側容器の注入口付近における液体の垂れこぼし等を回避させる。【選択図】図４
2020090322.tif 000002
【特許請求の範囲】
【請求項１】
人が運搬し内容物の保管ができる灯油容器に装着して使用する蓋において、
元蓋の上に小蓋のねじ込みが可能な凸状の小注出口を多段状に設ける多段蓋を蓋全体の基本構造とし、段上の小注出口から液体を注出させることでその狭幅化を実現し、小注出口を形成する管に元蓋と同等以上の厚みを持たせること、および小注出口の密閉にはガスケットを内蔵した小蓋と用いることにより、蓋全体の密閉性と内的強度を維持させる。そして蓋内部の凸型段差を平滑化した平滑流路を設けることにより、当該箇所を液体が小注出口に向かって通過する際の乱流の発生を抑制させる。さらに緩衝フィルタの設置により、当該容器内を移動して入出口に向かう液体の流速および流量を制限し、また液体移動時に容器内で発生する乱流を緩和させるとともに、当該フィルタを通過した液体に加わる力を緩和させることおよび緩衝フィルタを通過する液量と小注出口からの注出液量との差分による平滑流路での液体の一時貯留を実現させることにより、小注出口より注出する液体の静流化および定流化を図る灯油容器の多段蓋。
【請求項２】
小注出口の周囲を元蓋の高さの延長となる壁で囲む形状で、その壁の高さと厚みにより小蓋および小注出口を保護する構造と機能を持たせることで小蓋および小注出口の外的強度を維持させることができる請求項１の多段蓋。
【発明の詳細な説明】
【技術分野】
【０００１】
本発明は人が運搬し、内容物の保管ができる灯油容器に装着して使用する蓋において、容器内部の液体注出時に蓋を注出用ノズルと交換装着することなく容器を傾けて注出する際、安定的にその注出を実現できる機能を有する蓋の構造に関する。
【背景技術】
【０００２】
国内で販売される人が運搬可能な灯油容器は、主にその容量が１０リットル、１８リットルおよび２０リットルの三種類で、前述した運搬および保存等を主な目的とし、材質はポリエチレン製である。
【０００３】
頂部に把持部を有し、把持部の脇に単数あるいは複数の注入出口を有する構造が一般的で、運搬、保存および注出等への利便性から、正面、平面および側面の形状は概して矩形状のものが規格化され、生産および流通している。
【０００４】
このような液体運搬および保存等に用いられる容器は、元来金属製の容器として主に油類、薬品類等を運搬、保存するために普及したものが、時代を経てポリエチレンの使用により軽量化、容器の腐食防止、大量生産による生産コストの削減、そして高強度化等を実現したために、現在は飲料水や排水など様々な液体の種類に応じた容器の形状、容量および着色がなされたものが実用化されている。灯油容器はその一例である。
【０００５】
灯油容器は危険物である灯油を入れることが目的であることから、安全性、容易な運搬および効率のよい保管等を実現するために、「灯油用ポリエチレンかん」としてその形状、寸法、構造および耐久性などがＪＩＳにより規格化されている。
【０００６】
その一例として、現在国内販売されている２０リットルの灯油容器のうち普及がみられるものは、やや縦長の丸みを帯びた矩形状で、前述したように頂部に把持部を有し、その両脇に同一径となる二つの注入出口を有する。そして容器を床に置いた際に注入出口の一つは鉛直上方、もう一つは斜め上を向く形状、構造である。
【０００７】
容器の注入出口を二つ設ける利点は、容器への液体注入出時に空気を容易に流通させることにより、液体の注入出を円滑にさせることにある。      
【０００８】
また前述した容器に設けた二つの注入出口のうち、一つの注入出口が斜め上方向となる形状、構造を有する理由は、その注入出口に注出用ノズルを装着したうえで人が容器頂部の把持部と容器底部を手で支えて持ち上げる際に、大きな傾斜角度を要さずに容易に内容物の注出を可能にするためである。
【０００９】
反対にもう一方の注入出口が鉛直上方を向いている理由は、当該容器を床に置いて給油所の注油設備や他の容器から液体を注入する際に、鉛直上方からの注入が容易にできること、および当該容器から市販の注出用ポンプを使用して液体を注出する際のポンプの設置およびその使用が容易だからである。
【００１０】
また容器の二つの注入出口が同一径である製品が多い理由は、注入、注出の都合によりどちらの注入出口も同条件で注出用ノズルと蓋との自在な交換使用ができるからである。  
【００１１】
一方、容器の蓋は本体と比較すると劣化による消耗頻度が高く、また容器の密閉度を高く保つために、内部のガスケットあるいは蓋そのものを随時新品と交換する必要がある。また蓋や注出用ノズルの破損や紛失等による欠損も時折発生する。その際、それらすべてが同一サイズによる脱着が可能なものであれば、欠損部品の最低個数を補充すればよいことから維持管理の面でも利点がある。
【００１２】
以上のような形状および構造を有する灯油容器において、容器内の液体を注出する際、その注出方法によっては垂れこぼし等が発生し、他の容器への移し替えに支障が生じることがある。
【００１３】
例えば、当該容器の注入出口に脱着可能な注出用ノズルを装着して液体を注出するとき、前述のように人が容器頂部の把持部を持ち、底部を支える形で容器を傾斜させて注出させる方法によれば、液体が容器内に残ることなく完全に液体を注出することができ、また受側容器があればその中に垂れこぼしなく注入作業をすることができる。
【００１４】
一方、子供、老人、女性あるいは傷病者等が、内容物が満量の容器を持ち上げて傾斜をつけ、注出用ノズルを使用して相当時間その姿勢を維持しつつ注出作業を行うことは困難である。そのようなとき、よく実施される手段として別途に注出ポンプを準備し、容器を一定箇所に設置したまま注出作業をする方法がある。
【００１５】
その際、当初より注出用ノズルを使用せずに注出作業を実施することが前提であることから、別途注出用ノズルを準備せずに作業にかかることも多い。
【００１６】
ところがポンプの一般的な構造上の問題として、注出限界に達すると液体が容器底部に残留する。そして容器に装着する注出用ノズルを持ち合わせない状況では、現実的な処置として注出用ノズルを装着せずにそのまま容器を直接傾け、注入出口より残りの液体を注出することで他の容器に移し替えることがある。
【００１７】
そのとき例えば２０リットルの一般的な灯油用のポリタンク容器では、人がそれを支えて傾け、傾斜角度を注意深く調整しながら残留液体を注出しようとしても、突発的に注出される液体の量、速さあるいは注出液体の飛散等を瞬間的に制御、制限することが難しく、付近への垂れこぼしや受側容器の注入口からの溢れ等の原因となるばかりでなく、それが灯油であるならば燃料の浪費となることが知られている。
【００１８】
なぜなら、受側容器の開口部が注出する容器の注入出口と同等あるいは小さめであるときは、注出する容器を傾けたとき、作業する人が意図しない大量の液体が、瞬間的に幅広くあるいは飛び散るように注出口から注出されてしまうことにより、受側容器に適切に注入できないからである。
【００１９】
一方、バケツのように受側容器の開口部が広い容器への移し替えにおいては、やはり前述の状況から、一度受側容器に入った液体が、その勢いによる容器内での跳上や飛散の結果、広い開口部から容器の外に出てしまうことがある。
【００２０】
このような「大量の液体が突発的に幅広くまたその一部は飛散するように注出口から注出される現象」は、人が経験測により注意深く容器を傾斜させて注出を試みたとしても容易には解決できず、また垂れこぼし等で浪費される液量が、容器全体の液量と比較すれば僅かな量であることから、それに対する従来の発想は「そのような横着なまねをするから液体がこぼれる」という程度のものであった。
【００２１】
要は当該容器の傾斜により、残留液体が一斉に容器底部から容器側面を経路として注入出口に移動し、その間、速度緩衝あるいは量的移動制限を受けることなく注入出口付近に到達した液体が、高い運動エネルギーとなって注入出口手前の容器角の凹部に至り、そこを通過する際の乱流化で、その一部は跳上により広角的に飛散しながら注出され、その他は勢力を保ったまま一気に注出されるわけである。
【００２２】
またそれが素早い大量の注出量となる理由は、容器の傾斜により容器側面を幅広く経路として移動した液体が、注入出口付近の狭窄部を通過する際に流速を増加して注出されること、および液体注出の際にその注出幅は、注入出口の径を最大幅として瞬時に素早くその幅を変化させる等、その不定流性は容器が有する構造と密接な関係がある。
【００２３】
振り返って、当該容器の使用において注出用ノズルは、基本的に液体注出の専用部品であり、脱着可能な部品の一つである。そしてその装着時には容器の密閉性が保てないことから、簡易な運搬およびごく短期の保存を除いて運搬や保管には適さない。当然ながら一般的に液体の運搬およびその保管には密閉性の高い通常のねじ込み形の蓋が使用される。 
【００２４】
つまり容器の内容物が特に灯油であるとき、蓋が運搬、保管には不可欠な容器の一部であり、容器に装着して常時使用される部品となるものであるのに対し、注出用ノズルはあくまで注出時に蓋との交換により使用される部品であることから、注出時に注出用ノズルの準備がない状況は、作業現場において蓋がない状況と比較すると高頻度なものとなる。 
【００２５】
一方、灯油容器は人の手で傾斜させることにより、内部の液体を注出する方法が安易であることから、前述した注出用ポンプの使用後に、注出用ノズルを装着せずに軽くなった容器を持ち上げて傾斜させ、内部の残留液体を注出口から直接注出する状況は生活の中ではごく普通の行為である。ついてはその方法による注出が適切な作業になれば、生活上の利便性が向上し、内容物が灯油であれば燃料の浪費対策に一石を投じることに疑いがない。 
【００２６】
ところで以上のような問題点があるにも係わらず「注出用ノズルを装着せずに容器を傾斜させて液体を注出する」という条件の下で注出口の形状や構造、あるいはその蓋について発明あるいは考案された先行技術は比較的少ない。従って容器から液体を注出する方法という大枠の中で公表された先行技術文献を以下に掲げその概要を示す。
【００２７】
例えば特許文献１では、容器内底部の傾斜と、容器内底における注出用ポンプの吸入管設置指定箇所に残留液体が集中する構造を有するため、注出用ポンプによる液体の吸い残しが少なく、その後の液体注出の必要性が殆どない手法が示されている。
【００２８】
また例えば特許文献２では、前述した注出用ポンプの使用後において、容器下部に設けられた蛇口状の液体注出口から液体を注出させる構造により、容器を設置したままの状態で残留液体が注出できる方法が示されている。
【００２９】
また例えば特許文献３では、容器の側面下部に密閉型の蓋を有する突起状の注出用小口を有する構造であるが、容器側面の当該小口の周囲に、突起部が容器側面の水平方向からは見えない程度の凹部を設け、突起部となる小口を保護している。そしてそれにより容器側面の突起が運搬や保管時の支障となることを回避しつつ、容器下側からの液体注出を可能にする方法が示されている。
【００３０】
また例えば特許文献４では容器を傾けて液体を注出する際に、注出用ノズルを装着する代わりに、「じょうご付き蓋」を装着することにより、容器を傾斜させて液体を注出する方法が示されている。
【００３１】
また例えば特許文献５では、容器に装着した注出用ノズルの先端に密閉型の蓋を設け、容器の密閉性を維持させる手法が示されている。  
【００３２】
また例えば特許文献６では、容器の蓋を凸形の二段構造にした二段ネジ式蓋により、容器内部の液体注出量に応じて注出口を選択できる蓋が示されている。 
【００３３】
その他、市販さている給水用ポリタンクの蓋には簡易な注水用コック付きの製品がある。
【先行技術文献】
【特許文献】
【００３４】
【特許文献１】特開平０８−２８２６７２号
【特許文献２】実登３０５５９９１号
【特許文献３】特開２００２−０４６７４６号
【特許文献４】特開２０１３−２３０８５６号
【特許文献５】特開平１０−２４９３６号
【特許文献６】特開平０７−０８９５６６号
【非特許文献】
【００３５】
【非特許文献１】日本工業規格（ＪＩＳ Ｚ１７１０：２０１２本文０１灯油用     ポリエチレンかん）Ｂｌｏｗ  ｍｏｕｌｄｅｄ ｐｏｌｙｅｔｈｙｌｅｎｅ    ｃｏｎｔａｉｎｅｒｓ ｆｏｒ  ｋｅｒｏｓｉｎｅ
【発明の概要】
【発明が解決しようとする課題】
【００３６】
本願において解決すべき課題は、人が運搬し、保管ができる灯油容器において、容器内部の液体を容器を傾けて注出する際、別途に注出用ノズルを注入出口に装着することなく、安定的に当該容器からの液体注出を実現できる構造と機能を有する注出口を内蔵し、かつ従来の蓋に備わる密閉性と強度を維持する容器の蓋を提供することである。
【００３７】
まずここでいう「安定的に当該容器からの液体注出を実現できる」という意味は、注出される液体が突発的に急速、大量になることを緩和できること、広角に飛散する注出を抑制できること、および注出液体の幅を一定内に制限できることをいう。
【００３８】
例えば特許文献１、特許文献２および特許文献３では、ポンプによる液体の吸い残しが少なくできるうえに、特許文献２および特許文献３にみられる容器下部に設けた小口からその後の液体注出が可能である。ついては容器を傾斜させて液体を注出する作業を要しない点で本願の課題を解決する手法とは性質を異にする。
【００３９】
また例えば特許文献２および特許文献３における容器下部に存在する注出口は、常に内部の液体と接触する構造となることから、液体の運搬や保管時における容器内部の加圧やガスケットの劣化等により、当該部位から液漏れを生じやすいという密閉性を維持する点で問題がある。また特許文献１と同様に容器を傾斜させて液体を注出させるという作業を伴わない点で本願の課題を解決する手法とは性質を異にする。
【００４０】
また例えば特許文献４では、注出用ノズルを使用せずに容器を傾けて液体注出作業を行うことについては後述する本願における課題の解決方法の前提条件と一致するものの、運搬、保管時の蓋をじょうご付きの蓋と交換、装着して注出する手法は、従来の蓋を注出用ノズルと交換、装着して注出作業する方法との明確な差異がないため、本願の課題を解決できない。
【００４１】
また例えば特許文献５では、注出用ノズルの先端に蓋を設けることにより密閉性を高め、それを通常の蓋と代替することで、容器に装着したまま運搬や保存を可能にし、それにより注出用ノズルの容器への常時装着を実現している。しかし注出用ノズルの可撓性を維持しつつ、密閉性の高い容器の蓋として機能させるためには、後述する「蓋の強度」の維持が必要となること等への問題がある。
【００４２】
また例えば特許文献６による手法を灯油容器の蓋として応用すれば、本願の課題の一部である蓋の密閉性の確保および液体の注出時における流れの安定化の一部となる流れの幅を制限できる可能性がある。しかしこのような蓋を容器に装着して傾けたとき、注出液体の流速、液体の乱流化による突発性のある注出を制限する緩衝機能を有しないため、本願の課題を解決できない。
【００４３】
なお、市販されている給水用ポリタンクの蓋や醤油の１８リットル缶の付属蓋には簡易な液体注出用コック付きの製品があるが、それらは特許文献２および特許文献３での例示と同様に、運搬および保管時における液漏れ対策等にかかわる蓋の密閉性および強度確保に問題があるため、現状では灯油容器の蓋となる部品には適さず本願の課題を解決できない。
【００４４】
ところで非特許文献１に示す日本工業規格では、「灯油用ポリエチレンかん」に関し、安全性、密閉性および耐久性を維持する目的の一つとして、注入出口の口径と数を定める他、蓋はガスケットを内装して密閉性を保つこと、蓋の強度試験等を実施する旨の規格が定められている。
【００４５】
また規格にない注入出口の位置や蓋の詳細な形状についても、製品化されたものを見る限り、経済性と製品使用時における安全性を考慮したうえで強度試験に耐え得る形状および構造を有するものとしていることが業界として常識化されていると思われる。
【００４６】
以上、本願における課題と先行技術の現状について述べた。
【００４７】
ついては本願は、前述した課題を解決するために、上述の様々な先行技術を踏まえたうえで、灯油容器の通常の運搬や保管に使用する密閉性が高く、かつ強度を有する注出口を内臓した蓋を用いて注出作業が実施できること、当該容器を傾斜させて液体を注出する際、注出される液体が突発的に急速、大量になることを緩和させること、注出液体の幅を制限させることおよび広角に飛散する注出を抑制させることで、灯油容器からの注出液体の静流化、定流化および狭幅化による注出の安定化を実現できる構造と機能を有する注出口を内蔵した灯油容器の蓋を提供することを目的とする。
【課題を解決するための手段】
【００４８】
本願が採用した主な手段は以下の構成、機能および効果を有することを特徴とする。
【００４９】
人が運搬し内容物の保管ができる灯油容器に装着して使用する蓋において、請求項１に示すように、元蓋の上に小蓋のねじ込みが可能な凸状の小注出口を多段状に設ける多段蓋を蓋全体の基本構造とし、段上の小注出口から液体を注出させることでその狭幅化を実現し、小注出口を形成する管に元蓋と同等以上の厚みを持たせること、および小注出口の密閉にはガスケットを内蔵した小蓋を用いることにより、蓋全体の密閉性と内的強度を維持させる。そして蓋内部の凸型段差を平滑化した平滑流路を設けることにより、当該箇所を液体が小注出口に向かって通過する際の乱流の発生を抑制させる。さらに緩衝フィルタの設置により、当該容器内を移動して注入出口に向かう液体の流速および流量を制限し、また液体移動時に容器内で発生する乱流を緩和させるとともに、当該フィルタを通過した液体に加わる力を緩和させることおよび緩衝フィルタを通過する液量と小注出口からの注出液量との差分による平滑流路での液体の一時貯留を実現させることにより、小注出口より注出する液体の静流化および定流化を実現する。以上の構成と機能により課題を解決する。
【００５０】
そして請求項２では、小注出口の周囲を元蓋の高さの延長となる壁で囲む形状で、その壁の高さと厚みにより小蓋および小注出口を保護する構造と機能を持たせることで、請求項１で示した多段蓋および小注出口の外的強度を維持させ課題を解決する。
【００５１】
請求項１でいう多段蓋とは、内側にねじ溝を有し灯油容器の注入出口に整合する元蓋と、元蓋に重畳する形で同一素材、同等以上の素材の厚みを有する凸状に突起する外側にねじ溝を有する小注出口、および小注出口にじ込む形で機能させるガスケット内蔵の小蓋による構成を基本とし、必要に応じて設ける三段以後は小蓋の上にさらに小さな注出口を同様に重畳させる構造であることを特徴とする。
【００５２】
その際、元蓋上に多段状に設ける小注出口の平面的な配置は元蓋開口部と同心円状になることを特徴とする。
【００５３】
また請求項１でいう緩衝フィルタとは灯油容器の注入出口と蓋との境界部に配置し、当該フィルタは複数小孔を有する平板で構成される第一緩衝フィルタ、そして第一緩衝フィルタより小注出口側に一定の空間を経て平行に配置され、第一緩衝フィルタの孔から液体が直線的に通過できない位置に孔を有するかあるいは孔を有しない平板による第二緩衝フィルタ、以下同様に必要に応じてフィルタの数を追加する多段フィルタであることを特徴とする。
【００５４】
また第一緩衝フィルタが有する複数小孔の総面積は小注出口の断面積よりやや大きくなる構造であることを特徴とする。
【００５５】
また請求項１でいう平滑流路とは、緩衝フィルタと小注出口の間に位置し、多段蓋の段差によって生じる内壁の角となる部位から角を除去して平滑化した流路であることを特徴とする。
【００５６】
ところで本願で提示する多段蓋が有する元蓋、小蓋および必要に応じて三段以後に使用する蓋はすべてねじ込みとガスケット内蔵によるもので、従来使用される灯油容器の蓋の構造と同一の装着構造とし、小注出口および必要に応じて設置する三段以後の注出口にも元蓋と同等以上の厚みを持たせることを特徴とする。
【００５７】
次に灯油容器の運搬、保管における多段蓋の効果、および液体注出時における灯油容器の傾斜により、液体が灯油容器内を移動して小注出口に至る過程と前述の多段蓋が有する緩衝フィルタ、平滑流路ならびに小注出口の効果について順次述べる。
【００５８】
まず本願が提示する多段蓋は、前述のようにねじ込みとガスケット内蔵による、従来使用されてきた灯油容器の蓋の構造と同一の装着構造とし、小注出口を形成する管を元蓋と同等以上の厚みを持たせることで、蓋全体の密閉性と内的強度を保ち、運搬や保管時における容器内圧による液漏れを防ぐ効果がある。
【００５９】
次に灯油注出作業において、灯油容器の傾斜により灯油容器内を移動して注入出口に達する液体は、その初期において移動時に流速を増し、注入出口手前の容器内凹部壁面を通過する際に流路の形状により、その一部が跳上による飛散や波動となり乱流化し、その他の一部は突発化する。そして容器内に残留する液体の量によっては、一時的に大量の液体が同様の傾向をもって注入出口に向かうことがある。
【００６０】
その際の液体を、まず蓋に内接された緩衝フィルタの複数小孔を有する第一緩衝フィルタを通過させることにより、その流量を制限させる。そして当該フィルタの小孔を通過した液体が第二緩衝フィルタの壁面に衝突することおよび平滑流路に至ることによりその速度および乱流化を抑制させ静流化させる効果がある。但し第二緩衝フィルタにおいて静流化が不十分であるときはさらに小注出口側に第二緩衝フィルタと平行する第三緩衝フィルタを設けることにより、その静流化を促進させることができる。
【００６１】
そして液体を平滑流路を通過させる際に、その流路の平滑面を通すことにより前述の静流を維持させ、それを小注出口に導くことにより突発的な注出を抑制させる。また小注出口の幅に整合する一定幅内の液体を外部に注出させることができるため、多段蓋の装着なしに灯油容器の注入出口から注出される液体と比較したとき、注出液体を狭幅化させることができる。
【００６２】
さらに小注出口からの液体注出が暫時継続すると、前述した外側緩衝フィルタの孔を通過する液体と小注出口から注出される液体量の需給関係により、徐々に平滑流路に液体を一時貯留させることができるため、それにより注出口から定流化された液体を注出させる効果がある。
【００６３】
なお、前述した緩衝フィルタの設置により、平滑流路に一時貯留する液体は、容器内の残留液体から受ける圧力が緩和され、それを維持させることができることから、容器内の液体がすべて緩衝フィルタを通過してその圧力が低下するまでは、注出時の定流を維持させることができる。
【００６４】
一方請求項２では、小注出口の周囲を元蓋の高さの延長となる壁で囲む形状で、その壁の高さと厚みにより、蓋への主に水平方向からの外力による小蓋および小注出口の破損を回避させる保護壁の役目を担わせることにより、外力に対向できる構造とし、それにより小蓋および小注出口の外的強度を維持させる効果がある。
【発明の効果】
【００６５】
本願における請求項１では、人が運搬し内容物の保管ができる灯油容器に装着して使用する蓋において、多段蓋の構造により注出液体の狭幅化を実現し、小注出口を形成する管に元蓋と同等以上の厚みを持たせること、および小注出口の密閉にはガスケットを内蔵した小蓋と用いることにより、蓋全体の密閉性と内的強度の維持が可能となる。そして蓋内部に設けた緩衝フィルタの機能により、当該容器内を移動する液体の流速、流量を制限し、容器内で発生する乱流を緩和させることができる。そして平滑流路に貯留する液体に加わる力を一定化させることができる。さらに平滑流路の構造により、当該箇所を通過する液体の乱流化を抑制できる。それらの効果により小注出口から注出される液体の静流化および定流化を実現できる。
【００６６】
また請求項２では、小注出口の周囲を元蓋の高さの延長となる壁で囲む形状で、その壁の高さと厚みにより小蓋および小注出口を保護する構造と機能を持たせることで、蓋の外的強度を維持させることができる。
【図面の簡単な説明】
【００６７】
【図１】灯油容器の二段蓋の外観図
【図２】灯油容器の二段蓋の断面図
【図３】緩衝フィルタ
【図４】注出時における多段蓋内の液体の流れ
【発明を実施するための形態】
【実施例】
【００６８】
本願がを実施するための携帯について以下に述べる。なお本実施例は、その容器として２０リットル用の灯油用ポリタンクを用いたものである。
【００６９】
図１に本願における多段蓋の中で、二段蓋による例を示す。平面図となる（ａ）では容器に装着する元蓋１０２ａと同心円状に位置する小蓋１０１ａを設け、その周囲に小蓋保護壁１０３ａを配置する。正面図となる（ｂ）では、元蓋１０２ｂの高さの延長となる小蓋保護壁１０３ｂによりその高さを小蓋１０１ｂの完全装着時における高さと等しく、かつ当該保護壁の厚みを小注出口の管厚の３倍として小蓋１０１ｂを囲む形状とする。従って小蓋１０１ｂは水平方向からはその存在を確認できない形となる。
【００７０】
図２は本願における二段蓋の平面図を（ａ）とし、そのＡ−Ａ断面を（ｂ）に示す。元蓋２０２ｂの上にガスケットを内蔵する小蓋２０１ｂのねじ込みが可能な凸状の小注出口２０９ｂを設ける二段蓋で、元蓋２０２ｂはポリタンク注入出口のねじ込み凸部に整合する雌ねじ込み部２０４ｂおよび密閉用のガスケット２１２ｂを有し、内部は平滑流路２０５ｂを通して小注出口２０９ｂに至る構造を有する。そして第一緩衝フィルタ２０６ｂ、第二緩衝フィルタ２０７ｂおよび固定スペーサ２０８ｂとで構成する緩衝フィルタを元蓋下部の灯油容器との境界部に配置する。
【００７１】
図３は前述した緩衝フィルタの側面図（ａ）および第一緩衝フィルタ３０６ａ側から見た緩衝フィルタの平面図（ｂ）である。第一緩衝フィルタ３０６ｂと第二緩衝フィルタ３０７ｂは平面的に同心円状の配置として、固定スペーサ３０８ａで両緩衝フィルタを相互に固定する二重構造とし、両フィルタ間に固定空間を設ける。さらに図２（ｂ）に示すように第一緩衝フィルタ２０６ｂを元蓋内部の緩衝フィルタ設置部位２１１ｂに設置し固定する。そして図３（ｂ）の第一緩衝フィルタ３０６ｂには、複数小孔３０９ｂを一様に設けた構造で、その総面積が図２に示す小注出口２０９ｂの断面積の１．５倍とする。また本例における第二緩衝フィルタは孔を有しない構造とする。
【００７２】
本例による灯油容器を用いて運搬する際、図２で示す小蓋２０１ｂの突起部分は、小蓋保護壁２０３ｂに隠れる構造のため運搬の支障にならず、またトラック等への積み卸しの際に、他の容器の底や側面が当該容器の蓋の小蓋保護壁２０３ｂに接触し、外力が蓋全体にかかる際にも、小蓋２０１ｂの突起部位に接触することなく、小蓋２０１ｂを保護することで蓋の外的強度を保つことができた。また灯油保管時の温度変化等による容器内圧の変化においても、灯油容器注入出口の雄ネジに対応させる元蓋内部の雌ネジ２０４ｂ付近および小蓋２０１ｂ内のガスケット付近における液の吹き出しや液漏れはなく密閉状態を保つことができた。さらに蓋に容器内の内圧等による亀裂、そしてそれによる蓋表面からの液漏れ等はなく、その内的強度を保持することができた。
【００７３】
次に本例における灯油容器４０５を傾斜させて液体を注出する際、当該容器の傾斜角は概ね図４のような形となる。灯油容器４０５の傾斜により灯油容器内を移動して注入出口に達する液体は、第一緩衝フィルタ４０２の孔における量的通過制限と第二緩衝フィルタ４０６への衝突による効果でその流速を減じ、また当該容器注入出口手前の容器内凹部壁面４０８を通過する際に生じた跳上による飛散や波動となる乱流化した液体もすべて、第一緩衝フィルタ４０２の孔を通過し、第二緩衝フィルタ４０６に衝突することにより緩和された。これにより液体の流れを静流化することができた。
【００７４】
そして静流化された液体は平滑流路４０３を通過する際にその流路の平滑面を通ることにより前述の静流を維持してそのまま小注出口４０７に導かれるため、注出初期の極端な液体圧力による突発的な注出を抑制させることができた。また小注出口４０７の幅に整合する一定幅内の液体を外部に注出させることができた。ついては本例における二段蓋の装着なしに灯油容器の注入出口から注出される液体と比較したとき、注出液体の狭幅化を実現できた。
【００７５】
さらに小注出口４０７からの液体注出が暫時継続すると、前述した第一緩衝フィルタ４０２の孔を通過する液体と小注出口４０７から注出される液体４０４の量との需給関係により、徐々に平滑流路４０３に液体を一時貯留させる効果がみられた。それにより注出口４０７からは断続化されない定流化された液体注出を実現できた。
【００７６】
なお、前述した緩衝フィルタ４０２および４０６の効果により、平滑流路４０３に一時貯留する液体には、容器内の残留液体４０１から受ける圧力が緩和され、それを維持させることが可能なことから、容器内の液体がすべて第一緩衝フィルタ４０２を通過してその圧力が低下するまでは、小注出口４０７から注出される液体の静流と定流を維持させることができ、その後は徐々に注出液体を減少させて、垂れこぼしなく注出を完了させることができた。
【符号の説明】
【００７７】
１０１ａ  小蓋
１０２ａ  元蓋    
１０３ａ  小蓋保護壁
１０１ｂ  小蓋
１０２ｂ  元蓋
１０３ｂ  小蓋保護壁
２０１ａ  小蓋
２０２ａ  元蓋
２０３ａ  小蓋保護壁
２００ｂ  小蓋用ガスケット
２０１ｂ  小蓋
２０２ｂ  元蓋
２０３ｂ  小蓋保護壁  
２０４ｂ  灯油容器注入出口の雄ネジに対応させる元蓋内部の雌ネジ
２０５ｂ  平滑流路
２０６ｂ  第一緩衝フィルタ
２０７ｂ  第二緩衝フィルタ
２０８ｂ  緩衝フィルタ固定スペーサ
２０９ｂ  小注出口
２１１ｂ  緩衝フィルタ設置部位
２１２ｂ  元蓋用ガスケット
３０６ａ  第一緩衝フィルタ
３０７ａ  第二緩衝フィルタ
３０８ａ  緩衝フィルタ固定スペーサ
３０６ｂ  第一緩衝フィルタ
３０７ｂ  第二緩衝フィルタ
３０８ｂ  緩衝フィルタ固定スペーサ
３０９ｂ  複数小孔
４０１    灯油容器内の液体
４０２    第一緩衝フィルタ
４０３    平滑流路
４０４    小注出口から注出される液体の流れ
４０５    灯油容器
４０６    第二緩衝フィルタ
４０７    小注出口
４０８    灯油容器の注入出口付近の容器内凹部壁面
【図１】
2020090322.tif 000003
【図２】
2020090322.tif 000004
【図３】
2020090322.tif 000005
【図４】
2020090322.tif 000006
【手続補正書】
【提出日】令和1年12月5日(2019.12.5)
【手続補正２】
【補正対象書類名】明細書
【補正対象項目名】００４９
【補正方法】変更
【補正の内容】
【００４９】
人が運搬し内容物の保管ができる灯油容器に装着して使用する蓋において、請
求項１に示すように、元蓋、小蓋および緩衝フィルタを蓋全体の基本構造とし、
元蓋、小蓋および必要に応じて三段以後に使用する蓋が多段状に設けられること、
元蓋の上には小蓋のねじ込みが可能な凸状の小注口が設けられていること、小蓋
には小注口の密閉性を維持するためのガスケットが内蔵されていること、元蓋の
内部には凸型段差を平滑化した平滑流路が設けられていること、および元蓋の内
部には灯油容器との境界部に緩衝フィルタが設置されており、緩衝フィルタには
複数の小孔であって、かつ小孔の総面積は小注口の断面積より大きくなるように
設けられている構造で、段上の小注出口から液体を抽出させることでその狭幅化
を実現すること、小注出口の密閉にはガスケットを内蔵した小蓋を用いることに
より蓋全体の密閉性を維持させること、蓋内部の凸型段差を平滑化した平滑流路
を設けることにより、当該箇所を液体が小注出口に向かって通過する際の乱流の
発生を抑制させること、および灯油容器との境界部に緩衝フィルタを設置するこ
とで、当該灯油容器内を移動して注入出口に向かう液体の流量を制限し、液体移
動時に灯油容器内で発生する乱流を緩和させるとともに、当該緩衝フィルタを通
過する液量と小注出口からの注出液量との差分による平滑流路での液体の一時貯
留を実現し、小注出口より注出する液体の定流化を図る機能を有することにより
課題を解決する。
【手続補正３】
【補正対象書類名】明細書
【補正対象項目名】００５０
【補正方法】変更
【補正の内容】
【００５０】
そして請求項２では、小注出口の周囲を元蓋の高さの延長となる壁で囲む形状
で、その壁の高さと厚みにより小蓋および小注出口を保護する構造と機能を持た
せることで、請求項１で示した灯油容器の蓋および小注出口の外的強度を維持さ
せ課題を解決する。
【手続補正４】
【補正対象書類名】明細書
【補正対象項目名】００５１
【補正方法】変更
【補正の内容】
【００５１】
請求項１でいう灯油容器の蓋とは、内側にねじ溝を有し灯油容器の注入出口に
整合する元蓋と、元蓋に重畳する形で同一素材、同等以上の素材の厚みを有する
凸状に突起する外側にねじ溝を有する小注出口、および小注出口にじ込む形で機
能させるガスケット内蔵の小蓋による構成を基本とし、必要に応じて設ける三段
以後は小蓋の上にさらに小さな注出口を同様に重畳させる構造であることを特徴
とする。
【手続補正５】
【補正対象書類名】明細書
【補正対象項目名】００５５
【補正方法】変更
【補正の内容】
【００５５】
また請求項１でいう平滑流路とは、緩衝フィルタと小注出口の間に位置し、灯
油容器の蓋の形状により生ずる段差によって生じる内壁の角となる部位から角を
除去して平滑化した流路であることを特徴とする。
【手続補正６】
【補正対象書類名】明細書
【補正対象項目名】００５６
【補正方法】変更
【補正の内容】
【００５６】
ところで本願で示す灯油容器の蓋が有する元蓋、小蓋および必要に応じて三段
以後に使用する蓋はすべてねじ込みとガスケット内蔵によるもので、従来使用さ
れる灯油容器の蓋の構造と同一の装着構造とし、小注出口および必要に応じて設
置する三段以後の注出口にも元蓋と同等以上の厚みを持たせることを特徴とす
る。
【手続補正７】
【補正対象書類名】明細書
【補正対象項目名】００５７
【補正方法】変更
【補正の内容】
【００５７】
次に灯油容器の運搬、保管における本願の灯油容器の蓋の効果、および液体注
出時における灯油容器の傾斜により、液体が灯油容器内を移動して小注出口に至
る過程と前述の緩衝フィルタ、平滑流路ならびに小注出口の効果について順次述
べる。
【手続補正８】
【補正対象書類名】明細書
【補正対象項目名】００５８
【補正方法】変更
【補正の内容】
【００５８】
まず本願が提示する灯油容器の蓋は、前述のようにねじ込みとガスケット内蔵
による、従来使用されてきた灯油容器の蓋の構造と同一の装着構造とし、小注出
口を形成する管を元蓋と同等以上の厚みを持たせることで、蓋全体の密閉性と内
的強度を保ち、運搬や保管時における容器内圧による液漏れを防ぐ効果がある。
【手続補正９】
【補正対象書類名】明細書
【補正対象項目名】００６１
【補正方法】変更
【補正の内容】
【００６１】
そして液体を平滑流路を通過させる際に、その流路の平滑面を通すことにより
前述の静流を維持させ、それを小注出口に導くことにより突発的な注出を抑制さ
せる。また小注出口の幅に整合する一定幅内の液体を外部に注出させることがで
きるため、本願で示す灯油容器の蓋の装着なしに灯油容器の注入出口から注出さ
れる液体と比較したとき、注出液体を狭幅化させることができる。
【手続補正１０】
【補正対象書類名】明細書
【補正対象項目名】００６５
【補正方法】変更
【補正の内容】
【００６５】
本願における請求項１では、人が運搬し内容物の保管ができる灯油容器に装着
して使用する蓋において、その構造により注出液体の狭幅化を実現し、小注出口
を形成する管に元蓋と同等以上の厚みを持たせること、および小注出口の密閉に
はガスケットを内蔵した小蓋と用いることにより、蓋全体の密閉性と内的強度の
維持が可能となる。そして蓋内部に設けた緩衝フィルタの機能により、当該容器
内を移動する液体の流速、流量を制限し、容器内で発生する乱流を緩和させるこ
とができる。そして平滑流路に貯留する液体に加わる力を一定化させることがで
きる。さらに平滑流路の構造により、当該箇所を通過する液体の乱流化を抑制で
きる。それらの効果により小注出口から注出される液体の静流化および定流化を
実現できる。
【手続補正１１】
【補正対象書類名】明細書
【補正対象項目名】００６９
【補正方法】変更
【補正の内容】
【００６９】
図１に本願における灯油容器の蓋の中で、二段蓋による例を示す。平面図とな
る（ａ）では容器に装着する元蓋１０２ａと同心円状に位置する小蓋１０１ａを
設け、その周囲に小蓋保護壁１０３ａを配置する。正面図となる（ｂ）では、元
蓋１０２ｂの高さの延長となる小蓋保護壁１０３ｂによりその高さを小蓋１０１
ｂの完全装着時における高さと等しく、かつ当該保護壁の厚みを小注出口の管厚
の３倍として小蓋１０１ｂを囲む形状とする。従って小蓋１０１ｂは水平方向か
らはその存在を確認できない形となる。
【手続補正１２】
【補正対象書類名】特許請求の範囲
【補正対象項目名】全文
【補正方法】変更
【補正の内容】
【特許請求の範囲】
【請求項１】
人が運搬し内容物の保管ができる灯油容器に装着して使用する蓋において、
元蓋、小蓋および緩衝フィルタを蓋全体の基本構造とし、元蓋、小蓋および必要に応じて
三段以後に使用する蓋が多段状に設けられること、元蓋の上には小蓋のねじ込みが可能な
凸状の小注口が設けられていること、小蓋には小注口の密閉性を維持するためのガスケッ
トが内蔵されていること、元蓋の内部には凸型段差を平滑化した平滑流路が設けられてい
ること、および元蓋の内部には灯油容器との境界部に緩衝フィルタが設置されており、
緩衝フィルタには複数の小孔であって、かつ小孔の総面積は小注口の断面積より大きくな
るように設けられている構造で、
段上の小注出口から液体を抽出させることでその狭幅化を実現すること、小注出口の密閉
にはガスケットを内蔵した小蓋を用いることにより蓋全体の密閉性を維持させること、蓋
内部の凸型段差を平滑化した平滑流路を設けることにより、当該箇所を液体が小注出口に
向かって通過する際の乱流の発生を抑制させること、および灯油容器との境界部に緩衝フ
ィルタを設置することで、当該灯油容器内を移動して注入出口に向かう液体の流量を制限
し、液体移動時に灯油容器内で発生する乱流を緩和させるとともに、当該緩衝フィルタを
通過する液量と小注出口からの注出液量との差分による平滑流路での液体の一時貯留を実
現し、小注出口より注出する液体の定流化を図る機能を有することを特徴とする灯油容器
の蓋。
【請求項２】
小注出口の周囲を元蓋の高さの延長となる壁で囲む形状で、その壁の高さと厚みにより
小蓋および小注出口を保護する構造と機能を持たせることで小蓋および小注出口の外的強
度を維持させることを特徴とする請求項１記載の灯油容器の蓋。